(57)【要約】三重効用吸収冷凍機において補助再生器及び補助吸収器を付加して設ける。吸収器からの希溶液を補助再生器にて濃縮し、ここで発生した冷媒蒸気を補助吸収器にて吸収させる。あるいは、吸収器からの希溶液を補助吸収器に導き、補助吸収器から低温再生器、補助再生器にて加熱濃縮させ、補助再生器にて発生した冷媒蒸気を補助吸収器にて吸収させる。  補助再生器及び補助吸収器を設けることにより、二重効用と三重効用の中間的なサイクルを可能とし、高温再生器の圧力、溶液温度を過度に上昇することを防止できる。
2004029524.tif 000002
【特許請求の範囲】
【請求項１】
高温再生器、中温再生器、低温再生器、凝縮器、吸収器、蒸発器、補助再生器、補助吸収器及びそれらの機器を接続する経路を有する三重効用吸収冷凍機において、前記吸収器、前記補助再生器、前記中温再生器、及び前記高温再生器間で溶液を循環する高濃度循環経路と、前記補助吸収器と低温再生器間で溶液を循環する低濃度循環経路とを有し、前記補助再生器で発生した冷媒蒸気を前記補助吸収器に導く経路と、前記中温再生器で発生する冷媒蒸気を前記低温再生器及び補助再生器の加熱側に導く経路と、前記高温再生器で発生する冷媒蒸気を前記中温再生器の加熱側に導く経路とを有することを特徴とする三重効用吸収冷凍機。
【請求項２】
請求項１に記載の三重効用吸収冷凍機において、前記補助再生器及び／または前記補助吸収器の機能を停止あるいは発揮させる手段を設けたことを特徴とする三重効用吸収冷凍機。
【請求項３】
高温再生器、中温再生器、低温再生器、凝縮器、吸収器、蒸発器、補助再生器、補助吸収器及びそれらの機器を接続する経路を有する三重効用吸収冷凍機において、前記吸収器からの希溶液の一部を前記補助吸収器に導くと共に、前記補助吸収器の希溶液を前記低温再生器に導く経路と、前記低温再生器の溶液を前記補助再生器経由で前記吸収器に戻す経路と、前記補助再生器で発生した冷媒蒸気を前記補助吸収器に導く経路とを有し、前記中温再生器で発生する冷媒蒸気を、前記低温再生器及び補助再生器の加熱側に導く経路と、前記高温再生器で発生する冷媒蒸気を、前記中温再生器の加熱側に導く経路とを有することを特徴とする三重効用吸収冷凍機。
【請求項４】
請求項３に記載の三重効用吸収冷凍機において、前記補助再生器及び／または前記補助吸収器の機能を停止あるいは発揮させる手段を設けたことを特徴とする三重効用吸収冷凍機。
【請求項５】
高温再生器、中温再生器、低温再生器、凝縮器、吸収器、蒸発器、補助再生器、補助吸収器及びそれらの機器を接続する経路を有する三重効用吸収冷凍機において、（ａ）前記吸収器、前記補助再生器、前記中温再生器、及び前記高温再生器間で溶液を循環する高濃度循環経路と、前記補助吸収器と低温再生器間で溶液を循環する低濃度循環経路とを有し、前記補助再生器で発生した冷媒蒸気を前記補助吸収器に導く経路と、前記中温再生器で発生する冷媒蒸気を前記低温再生器及び補助再生器の加熱側に導く経路と、前記高温再生器で発生する冷媒蒸気を前記中温再生器の加熱側に導く経路とを形成するサイクルと、（ｂ）前記吸収器からの希溶液の一部を前記補助吸収器に導くと共に、前記補助吸収器の希溶液を前記低温再生器に導く経路と、前記低温再生器の溶液を前記補助再生器経由で前記吸収器に戻す経路と、前記補助再生器で発生した冷媒蒸気を前記補助吸収器に導く経路とを有し、前記中温再生器で発生する冷媒蒸気を、前記低温再生器及び補助再生器の加熱側に導く経路と、前記高温再生器で発生する冷媒蒸気を、前記中温再生器の加熱側に導く経路とを形成するサイクルと、（Ｃ）前記いずれかのサイクルにおいて補助再生器及び／または前記補助吸収器の機能を停止させるサイクルとの間を切り替える手段を設けたことを特徴とする三重効用吸収冷凍機。
【請求項６】
前記補助再生器には、加熱濃縮能力を増減する調節機構を設けたことを特徴とする請求項１、３又は５記載の三重効用吸収冷凍機。
【請求項７】
前記補助吸収器には、吸収能力を増減する調節機構を設けたことを特徴とする請求項１，３又は５の三重効用吸収冷凍機。
【請求項８】
前記補助再生器が加熱濃縮能力を増減する調節機構を有し、前記補助吸収器が吸収能力を増減する調節機構を有することを特徴とする請求項１，３又は５の三重効用吸収冷凍機。
【請求項９】
前記高温再生器及び／又は中温再生器で発生した冷媒蒸気を一段下の圧力の再生器に導く蒸気弁を有する経路を設けたことを特徴とする請求項１〜８のいずれか１項記載の三重効用吸収冷凍機。
【請求項１０】
前記高濃度循環経路の溶液を前記低濃度循環経路に導入し、これとバランスするように前記低濃度循環経路の溶液を前記高濃度循環経路に戻す経路を有することを特徴とする請求項１，２，５，６，７，８又は９の三重効用吸収冷凍機。
【請求項１１】
前記サイクルを切り替える手段、前記加熱濃縮能力を増減する調節機構又は前記蒸気弁には、前記高温再生器の内圧及び／又は溶液温度、又は、それらに関連する物理量が、それぞれの所定の値を超えないように調節する制御機構を有することを特徴とする請求項５，６，８又は９記載の三重効用吸収冷凍機。
【請求項１２】
高温再生器、中温再生器、低温再生器、凝縮器、吸収器、蒸発器、補助再生器、補助吸収器及びそれらの機器を接続する経路を有する三重効用吸収冷凍機において、前記吸収器、前記補助再生器、前記中温再生器、および前記高温再生器間で溶液を循環する高濃度循環経路と、前記補助吸収器と低温再生器間で溶液を循環する低濃度循環経路を有し、前記補助再生器で発生した冷媒蒸気を前記補助吸収器に導く経路と、前記中温再生器で発生する冷媒蒸気を前記低温再生器及び／又は補助再生器の加熱側に導く経路と、前記高温再生器で発生する冷媒蒸気を前記中温再生器の加熱側に導く経路とを有し、前記低温再生器及び／又は補助再生器には、外部からの排熱を受け入れ、溶液を加熱する伝熱管を有することを特徴とする三重効用吸収冷凍機。
【請求項１３】
前記中温再生器に、外部からの排熱を受け入れ、溶液を加熱する伝熱管を有することを特徴とする請求項１に記載の三重効用吸収冷凍機。
【請求項１４】
前記低温再生器及び前記補助再生器に、外部からの排熱を受け入れ、溶液を加熱する伝熱管を有し、該排熱が頭熱変化をする流体であって、該流体を前記低温再生器に導いた後、前記補助再生器に導くことを特徴とする請求項１２または１３に記載の三重効用吸収冷凍機。
【請求項１５】
前記中温再生器に外部からの排熱を受け入れ、溶液を加熱する伝熱管を有し、該排熱が頭熱を持つ流体であって、該流体を前記中温再生器に導いた後、前記低温再生器及び／又は補助再生器に導くことを特徴とする請求項１２または１３に記載の三重効用吸収冷凍機。
【請求項１６】
高温再生器、中温再生器、低温再生器、凝縮器、吸収器、蒸発器、補助再生器、補助吸収器及びそれらの機器を接続する経路を有する三重効用吸収冷凍機において、前記吸収器、前記補助再生器、前記中温再生器、および前記高温再生器間で溶液を循環する高濃度循環経路と、前記補助吸収器と低温再生器間で溶液を循環する低濃度循環経路を有し、前記補助再生器で発生した冷媒蒸気を前記補助吸収器に導く経路と、前記中温再生器で発生する冷媒蒸気を前記低温再生器及び補助再生器の加熱側に導く経路と、前記高温再生器で発生する冷媒蒸気を前記中温再生器の加熱側に導く経路とを有し、前記中温再生器には、外部からの排熱を受け入れ、溶液を加熱する伝熱管を有することを特徴とする三重効用吸収冷凍機。
【発明の詳細な説明】
【技術分野】  本発明は、三重効用吸収冷凍機に係わり、特に、高温再生器の圧力及び溶液温度を緩和することができる三重効用吸収冷凍機に関するものである。
発明の背景
二重効用サイクルまたは三重効用サイクルを利用した吸収冷凍機の従来例としては、特開平７−１４６０２３号公報、特開平８−１３６０８０号公報、特公昭５６−４８７８２号公報、特公昭５８−３３４６７号公報、特許第２６５７７０３号公報、特許第２６９６５７５号公報に開示されたものがある。
三重効用サイクルの場合、冷却水温度が高いと（例えば、日木の夏季の標準的な値で冷却水入口が３１〜３２℃）であると、高温再生器の圧力がゲージ圧力で０．３ＭＰａ程度、溶液温度が１９０℃を超えるような高温となり、強度上及び腐食対策上、通常のＳＳ材ではなく高級材料とする必要などがあり、三重効用機の製品化にはコスト上大きな問題があり、二重効用サイクルにとどめることが多かった。
冷却水温度が低下し、三重効用サイクルの高温再生器圧力が、例えばゲージ圧力０．１ＭＰａ以下で、溶液温度が１７５℃程度以下が可能な場合、二重効用から三重効用に切替えて、効率アップを図ることが提案されてきた（特許第２６５７７０３号公報、特許第２６９６５７５号公報など）。
効率は、二重効用と三重効用との間でかなり急激に変化する。三重効用サイクルが成り立たない場合、急激に二重効用サイクルの効率に落ち、中間的な効率は得にくかった。
本発明は、上記従来技術に鑑み、二重効用と三重効用の中間的なサイクルを可能とし、高温再生器の圧力あるいは溶液温度を所定値以下とすることができ、さらに、熱源温度、冷却水温度条件、あるいは冷水温度条件などによっては、中間的なサイクルから、三重効用サイクルまで、段階的ではなく、連続的に変化することができる三重効用吸収冷凍機を提供することを課題とする。
発明の概要
上記課題を解決するために、本発明の第１の面では、高温再生器、中温再生器、低温再生器、凝縮器、吸収器、蒸発器、補助再生器、補助吸収器及びそれらの機器を接続する経路を有する三重効用吸収冷凍機において、前記吸収器、前記補助再生器、前記中温再生器、及び前記高温再生器間で溶液を循環する高濃度循環経路と、前記補助吸収器と低温再生器間で溶液を循環する低濃度循環経路とを有し、前記補助再生器で発生した冷媒蒸気を前記補助吸収器に導く経路と、前記中温再生器で発生する冷媒蒸気を前記低温再生器及び補助再生器の加熱側に導く経路と、前記高温再生器で発生する冷媒蒸気を前記中温再生器の加熱側に導く経路とを有することを特徴とする。
前記の三重効用吸収冷凍機において、前記補助再生器及び／または前記補助吸収器の機能を停止あるいは発揮させる手段を設けることができる。
また、本発明の第２の面によれば、高温再生器、中温再生器、低温再生器、凝縮器、吸収器、蒸発器、補助再生器、補助吸収器及びそれらの機器を接続する経路を有する三重効用吸収冷凍機において、前記吸収器からの希溶液の一部を前記補助吸収器に導くと共に、前記補助吸収器の希溶液を前記低温再生器に導く経路と、前記低温再生器の溶液を前記補助再生器経由で前記吸収器に戻す経路と、前記補助再生器で発生した冷媒蒸気を前記補助吸収器に導く経路とを有し、前記中温再生器で発生する冷媒蒸気を、前記低温再生器及び補助再生器の加熱側に導く経路と、前記高温再生器で発生する冷媒蒸気を、前記中温再生器の加熱側に導く経路とを有することを特徴とする。
上記第２の面による三重効用吸収冷凍機において、前記補助再生器及び／または前記補助吸収器の機能を停止あるいは発揮させる手段を設けることができる。
また、本発明の第３の面によれば、高温再生器、中温再生器、低温再生器、凝縮器、吸収器、蒸発器、補助再生器、補助吸収器及びそれらの機器を接続する経路を有する三重効用吸収冷凍機において、（ａ）前記吸収器、前記補助再生器、前記中温再生器、及び前記高温再生器間で溶液を循環する高濃度循環経路と、前記補助吸収器と低温再生器間で溶液を循環する低濃度循環経路とを有し、前記補助再生器で発生した冷媒蒸気を前記補助吸収器に導く経路と、前記中温再生器で発生する冷媒蒸気を前記低温再生器及び補助再生器の加熱側に導く経路と、前記高温再生器で発生する冷媒蒸気を前記中温再生器の加熱側に導く経路とを形成するサイクルと、（ｂ）前記吸収器からの希溶液の一部を前記補助吸収器に導くと共に、前記補助吸収器の希溶液を前記低温再生器に導く経路と、前記低温再生器の溶液を前記補助再生器経由で前記吸収器に戻す経路と、前記補助再生器で発生した冷媒蒸気を前記補助吸収器に導く経路とを有し、前記中温再生器で発生する冷媒蒸気を、前記低温再生器及び補助再生器の加熱側に導く経路と、前記高温再生器で発生する冷媒蒸気を、前記中温再生器の加熱側に導く経路とを形成するサイクルと、（ｃ）前記いずれかのサイクルにおいて補助再生器及び／または前記補助吸収器の機能を停止させるサイクルとの間を切り替える手段を設けたことを特徴とする。
前記補助再生器には、加熱濃縮能力を増減する調節機構を設けることができる。
また、前記補助吸収器には、吸収能力を増減する調節機構を設けることもできる。
また、前記補助再生器に加熱濃縮能力を増減する調節機構を設け、かつ前記補助吸収器に吸収能力を増減する調節機構を設けることもできる。
前記高温再生器及び／又は中温再生器で発生した冷媒蒸気を一段下の圧力の再生器に導く蒸気弁を有する経路を設けることができる。
また、前記高濃度循環経路の溶液を前記低濃度循環経路に導入し、これとバランスするように前記低濃度循環経路の溶液を前記高濃度循環経路に戻す経路を設けることができる。
さらに、前記サイクルを切り替える手段、前記加熱濃縮能力を増減する調節機構又は前記蒸気弁には、前記高温再生器の内圧及び／又は溶液温度、又は、それらに関連する物理量が、それぞれの所定の値を超えないように調節する制御機構を設けることができる。
また、本発明の第４の面によれば、高温再生器、中温再生器、低温再生器、凝縮器、吸収器、蒸発器、補助再生器、補助吸収器及びそれらの機器を接続する経路を有する三重効用吸収冷凍機であって、前記吸収器、前記補助再生器、前記中温再生器、及び前記高温再生器間で溶液を循環する高濃度循環経路と、前記補助吸収器と前記低温再生器間で溶液を循環する低濃度循環経路とを有し、前記補助再生器で発生した冷媒蒸気を前記補助吸収器に導く経路と、前記中温再生器で発生する冷媒蒸気を前記低温再生器及び／又は前記補助再生器の加熱側に導く経路と、前記高温再生器で発生する冷媒蒸気を前記中温再生器の加熱側に導く経路とを有する三重効用吸収冷凍機において、前記低温再生器及び／又は前記補助再生器に、外部からの排熱を受け入れ、溶液を加熱する伝熱管を設けたことを特徴とする。
また、本発明の第５の面によれば、高温再生器、中温再生器、低温再生器、凝縮器、吸収器、蒸発器、補助再生器、補助吸収器及びそれらの機器を接続する経路を有する三重効用吸収冷凍機であって、前記吸収器、前記補助再生器、前記中温再生器、及び前記高温再生器間で溶液を循環する高濃度循環経路と、前記補助吸収器と前記低温再生器間で溶液を循環する低濃度循環経路とを有し、前記補助再生器で発生した冷媒蒸気を前記補助吸収器に導く経路と、前記中温再生器で発生する冷媒蒸気を前記低温再生器及び前記補助再生器の加熱側に導く経路と、前記高温再生器で発生する冷媒蒸気を前記中温再生器の加熱側に導く経路とを有する三重効用吸収冷凍機において、前記中温再生器に、外部からの排熱を受け入れ、溶液を加熱する伝熱管を設けたことを特徴とする。
本発明では、三重効用吸収冷凍機に、補助再生器と補助吸収器とを付加し、三重効用サイクルの中に一部濃度の低いサイクルを形成し、これらの熱源となる中温再生器あるいは高温再生器の蒸気圧力を低下させている。
より具体的に表現すると、三重効用吸収冷凍機に、補助再生器と補助吸収器とを付加し、吸収器に供給する前の濃溶液の一部あるいは全部を、補助再生器で加熱濃縮して吸収器に供給し、補助再生器で発生した冷媒蒸気は、補助吸収器にて溶液に吸収し低濃度の溶液にする。
補助吸収器の低濃度溶液を、低温再生器で再生、（濃縮）する場合、溶液の低濃度によって沸騰温度が低下しているので、熱源となる中温再生器の蒸気飽和温度とそれに伴なう中温再生器の溶液沸騰温度が低下し、従って中温再生器の熱源となる高温再生器の蒸気飽和温度が低下して、高温再生器の溶液沸騰温度、高温再生器で必要な熱源温度を下げることができる。
すなわち、補助再生器と補助吸収器を付加したサイクルは、低濃度サイクルと高濃度サイクルの２系統のサイクルから成り立っており、高濃度サイクル側が、吸収器にて蒸発器からの冷媒蒸気を吸収し、冷凍効果を出す駆動力となり、一方、低濃度サイクルは、高濃度サイクルが高温、高圧になるのを防ぐ補助的なサイクルとなる。
補助再生器に供給する溶液は、吸収器あるいは中温再生器あるいは高温再生器から供給しても差し支えない。また、補助再生器の溶液は、中温再生器あるいは高温再生器あるいは両者経由で、吸収器にもどしても差し支えない。要は補助再生器が高濃度サイクル内に入っていれば良い。
高濃度サイクルに配置された補助再生器は溶液を濃縮するが、補助再生器で発生した冷媒蒸気は凝縮器には行かず、凝縮器よりも低圧（低露点）の補助吸収器に吸収される。冷媒蒸気を吸収した補助再生器の溶液は低濃度であり、これを低温再生器にて再生（濃縮）する場合、比較的低温で濃縮でき、直接凝縮器に冷媒蒸気を放出できる。この低濃度サイクルを付加することにより、高濃度側の中温再生器の発生蒸気露点を低くすることができ、これによって中温再生器を加熱する高温再生器の冷媒蒸気圧を抑えることができる。
本発明の上記目的及び他の目的は、添付図面と共に示す以下の実施例から明らかとなるであろう。
【図面の簡単な説明】    図１は、本発明の吸収冷凍機の一例を示すフロー構成図である。
図２は、本発明の吸収冷凍機の他の例を示すフロー構成図である。
図３は、本発明の吸収冷凍機のさらに他の例を示すフロー構成図である。
図４（ａ）、図４（ｂ）は、それぞれ図１、図２のフロー構成図を簡略化して示す図である。
図５（ａ）〜図５（ｆ）は、図３のフローにおいて、補助再生器ＧＸの能力を変化させた場合のサイクル変化のデューリング線図である。
図６（ａ）は、図１の溶液サイクルのデューリング線図で、図６（ｂ）は、図１の補助吸収器ＡＸと補助再生器ＧＸをなくした場合のサイクルのデューリング線図である。
図７は、補助吸収器ＡＸと補助再生器ＧＸの冷媒蒸気飽和温度とＣＯＰ及び高温再生器ＧＨの溶液出口温度との関係を示すグラフである。
図８（ａ）、図８（ｂ）は、本発明を適用できる別の溶液サイクルのデューリング線図である。
図９は、本発明の吸収冷凍機のさらに他の例を示すフロー構成図である。
図１０は、本発明を適用した三重効用吸収冷凍機のサイクルパターンの例を示す一覧表である。
発明の好適な実施の形態
以下、本発明にかかる吸収冷凍機の好適な実施の形態について図面を参照して説明する。
本発明の一例は、図１及びそのフロー構成図を簡略化して示す図４（ａ）に示されるように、溶液循環系が、主に補助吸収器ＧＸと低温再生器ＧＬ間を循環する低濃度溶液循環系と、主に吸収器Ａ、高温再生器ＧＨ、中温再生器ＧＭ間を循環する高濃度溶液循環系とから成り、冷却水温度が高くても、高温再生器ＧＨの圧力（冷媒飽和温度）、溶液温度を抑えようとするものである。
また、本発明の他の例は、図２及びそのフロー構成図を簡略化して示す図４（ｂ）に示されるように、補助吸収器ＡＸと補助再生器ＧＸとを同一循環系の中に入れ、吸収器Ａから補助吸収器ＡＸ、低温再生器ＧＬ、補助再生器ＧＸを経て吸収器Ａに戻る溶液循環を行うと共に、補助再生器ＧＸの加熱能力を調節している。一方、吸収器Ａ、高温再生器ＧＨ、中温再生器ＧＭ間でも溶液は循環している。冷却水温度が低下してきた場合に採用するサイクルである。なお、図４（ａ）、図４（ｂ）で、実線は溶液の流れ、破線は冷媒蒸気の流れを表す。
前記の図１と図２のサイクルは、図３の一台の装置で、溶液循環系の溶液の分配機構Ｖ３、Ｖ４を調節（一方の流量をゼロとすれば切替えと同じ）することと、補助再生器ＧＸの加熱能力調節機構Ｖ１、Ｖ２を調節することにより実現可能となる。
これらの調節を連続的に行うことで、サイクルの連続変化が可能となり、高温再生器の圧力あるいは溶液温度を、目標とする温度以下に抑えるようにサイクルの調整、制御を行うことができる。
冷却水温度が高くなり過ぎて、これらのサイクルで対応できない時、高圧段の再生器の冷媒蒸気を１段下の再生器に導くことで、二重効用相当の運転も可能となり、高温再生器の圧力あるいは溶液温度を抑えることができる。
また、本発明では、前記吸収器を低圧吸収器と高圧吸収器に、前記蒸発器を低圧蒸発器と高圧蒸発器に区分し、冷水を先ず高圧蒸発器に導き、冷却された冷水を次いで低圧蒸発器に導くと共に、前記再生器からの濃溶液を先ず低圧吸収器に導き、低圧蒸発器からの冷媒蒸気を吸収させ、低圧吸収器で冷媒蒸気を吸収した溶液を高圧吸収器に導き、高圧蒸発器からの冷媒蒸気を吸収させるように構成して、吸収器と蒸発器とを二段にすることで、サイクルの溶液濃度を低下させ、高温再生器の圧力、温度を低下させることができるので、本発明をさらに効果的にすることができる。
さらに、図面に沿って本発明の実施の形態を詳細に説明する。
図１〜図３は、本発明の三重効用吸収冷凍機を示すフロー構成図である。
図１〜図３において、Ｅは蒸発器、Ａは吸収器、Ｃは凝縮器、ＧＬは低温再生器、ＧＭは中温再生器、ＧＨは高温再生器、ＡＸは補助吸収器、ＧＸは補助再生器、ＸＬ１、ＸＬ２は低温側熱交換器、ＸＭは中温側熱交換器、ＸＨは高温側熱交換器、ＳＰ１、ＳＰ２は溶液ポンプ、ＲＰは冷媒ポンプ、Ｖ１〜Ｖ５は調節弁、１〜８は溶液流路、９はＵ字型配管、１０〜１３は冷媒蒸気流路、１４〜１６は冷媒流路、１７は熱源、１８は冷水、１９は冷却水である。
図１を用いて本発明を説明すると、補助再生器ＧＸで溶液を加熱濃縮する際に発生する冷媒蒸気を、補助吸収器ＡＸで吸収する。
補助吸収器ＡＸの希溶液を流路７から低温再生器ＧＬに導き、中温再生器ＧＭからの流路１２、１３を通る冷媒蒸気で加熱濃縮し、補助吸収器ＡＸに戻す。低温再生器ＧＬで発生した冷媒蒸気は、凝縮器Ｃにて凝縮し、流路１５から蒸発器Ｅに戻る。吸収器Ａの希溶液は、それぞれ流路１から補助再生器ＧＸ、中温再生器ＧＭ、高温再生器ＧＨに送る。
補助再生器ＧＸに送られた溶液は、中温再生器ＧＭで発生する流路１２、１３からの冷媒蒸気により加熱濃縮され、中温再生器ＧＭに送られた溶液は、高温再生器ＧＨで発生する流路１１からの冷媒蒸気により加熱濃縮され、一方、高温再生器ＧＨに送られた溶液は、外部熱源１７で加熱濃縮される。濃縮された溶液は、それぞれ流路２、３、４から流路５、６を通り吸収器Ａに戻り、蒸発器Ｅからの冷媒蒸気を吸収する。
図６（ａ）は、このサイクルをデューリング線図上に示したものである。
高温再生器ＧＨで発生した冷媒蒸気は、飽和状態では図６（ａ）のＣＨで表され、中温再生器ＧＭの加熱源となり、中温再生器ＧＭで発生した冷媒蒸気は、飽和状態では図６（ａ）のＣＭで表され、低温再生器ＧＬ及び補助再生器ＧＸの加熱源となって凝縮し、凝縮器Ｃに導かれ、低温再生器ＧＬで発生し凝縮器Ｃで凝縮した冷媒と共に蒸発器Ｅに導かれる。
図６（ｂ）は、補助吸収器ＡＸと補助再生器ＧＸをなくした場合、即ち三重効用サイクルをデューリング線図上に示したものである。
図６（ｂ）に比し、図６（ａ）では、低温再生器ＧＬの溶液濃度が低く、沸騰温度が低下しているので、最終的に高温再生器ＧＨの蒸気飽和温度が下がり、高温再生器ＧＨの溶液の沸騰温度が低下する。高温再生器ＧＨ出口溶液温度で２０℃以上の差となっている。
上記図６（ａ）のサイクルと図６（ｂ）のサイクルとの切り替えは、図１の蒸気弁Ｖ１を開閉し、これによって補助再生器ＧＸの機能を発揮／停止することにより行なうことができる。あるいは、図１の溶液供給量調節弁Ｖ２を開閉し、これによって補助再生器ＧＸへ溶液を供給／停止して補助再生器ＧＸの機能を発揮／停止することによって行なうこともできる。
また、これら蒸気弁Ｖ１あるいは溶液供給量調節弁Ｖ２の弁開度を調節することにより、補助再生器ＧＸの加熱能力を調節することができる。
また、図示しないが、補助吸収器ＡＸへの冷却水量を調節するか、あるいは補助吸収器ＡＸへの溶液供給量を調節することにより、補助吸収器ＡＸの吸収能力（機能停止を含む）を調節することもできる。
さらに、これら蒸気弁Ｖ１及び／又は溶液供給量調節弁Ｖ２の調節と、補助吸収器ＡＸへの冷却水量あるいは溶液供給量を調節することにより、補助再生器ＧＸの加熱能力と補助吸収器ＧＡの吸収能力（機能停止を含む）の双方を調節することができる。
図２は、本発明の吸収冷凍機の他の例を示すフロー構成図である。
図２では、吸収器Ａからの希溶液の一部を補助吸収器ＡＸに、残部を中温再生器ＧＭ及び高温再生器ＧＨに送っている。補助吸収器ＡＸでは、補助再生器ＧＸで溶液が加熱濃縮される際の流路１０からの冷媒蒸気を吸収し、さらに希くなる。この希溶液は、流路７から低温再生器ＧＬにて、中温再生器ＧＭからの流路１２、１３を通る冷媒蒸気で加熱濃縮され、その後、先程の補助再生器ＧＸに導かれ、中温再生器ＧＭからの流路１２、１３を通る冷媒蒸気で、さらに加熱濃縮される。
中温再生器ＧＭに送られた流路１からの希溶液は、高温再生器ＧＨからの流路１１を通る冷媒蒸気を熱源として加熱濃縮され、高温再生器ＧＨに送られた希溶液は、外部からの熱源１７で加熱濃縮されて、先程の補助再生器ＧＸで濃縮された濃溶液と共に、流路６から吸収器Ａに送られ、蒸発器Ｅからの冷媒蒸気を吸収する。
図２の吸収冷凍機においても、図１の吸収冷凍機と同様に、蒸気弁Ｖ１の開閉を調節することにより、補助再生器ＧＸの機能発揮／停止の切り替え、及び加熱能力を調節することができ、また、補助吸収器ＡＸへの冷却水量あるいは溶液供給量を調節することにより、補助吸収器ＡＸの吸収能力（機能停止含む）を調節することができる。
図３は、本発明の吸収冷凍機のさらに他の例を示すフロー構成図で、溶液分配機構弁Ｖ３、Ｖ４にて、（あるいは弁による切替えで、）図１と図２のサイクルを一台の装置で実現可能にしたものである。なお、完全切替ではなく、中間的なサイクルも可能である。即ち、溶液を０から１００％の範囲まで、連続的に分配してもサイクルは成り立つ。中間的なサイクルでは、弁Ｖ３により、吸収器Ａからの希溶液の一部を補助吸収器ＡＸに流し、残部を補助再生器ＧＸに分配し、補助吸収器ＡＸの希溶液は低温再生器ＧＬに送って濃縮し、弁Ｖ４により、濃溶液の一部を補助再生器ＧＸに、残部を補助吸収器ＡＸに戻している。即ち、全体の溶液保有量のバランスを保つため、低温再生器ＧＬから補助再生器ＧＸへは、吸収器Ａから補助吸収器ＡＸに送った溶液量に相当する分（吸収剤でほぼ同量）を戻すようにする。弁Ｖ３、Ｖ４による分配だけで、保有量のバランスをとることが難しいので、図３では、吸収器Ａ下部と補助吸収器ＡＸ下部とを、Ｕ字型の配管９で結び、圧力差を保ちながら溶液の行き来を許し、バランスが採れるようにしている。
なお、弁Ｖ３、Ｖ４は三方弁でなく、二方弁などの組み合わせでも差支えない。
また、後述するように、溶液分配機構弁Ｖ３、Ｖ４による図１と図２のサイクルの切り替えに加え、さらに蒸気弁Ｖ１及び／又は溶液供給量調節弁Ｖ２の開閉を調節することにより、補助再生器ＧＸの加熱能力を調節することができ、さらには図１のサイクルと、図２のサイクルと、補助再生器ＧＸ及び補助吸収器ＡＸの機能を停止した三重効用サイクルとの間の切り替えを行うこともできる。
また、高温再生器ＧＨの異常高圧を回避するために、高濃度循環系の溶液を低濃度循環系に導入し、これとバランスするように低濃度循環系の溶液を高濃度循環系に戻すこともできる。このためには、各種の配管系が考えられるが、例えば、溶液分配機構弁Ｖ３で吸収器Ａ（高濃度循環系）からの溶液を補助吸収器ＡＸ（低濃度循環系）に散布し、Ｕ字型の配管９で補助吸収器ＡＸの溶液を吸収器Ａに戻す。
図５（ａ）〜（ｆ）は、図３の吸収冷凍機において、冷却水温度に対応して変化させたサイクルをデューリング線図上に示したものである。補助再生器ＧＸへの中温再生器ＧＭからの冷媒蒸気の導入量を蒸気弁Ｖ１で調節して、補助再生器ＧＸの再生能力（加熱濃縮能力）を変化させている。補助再生器ＧＸの能力変更は、図３の破線で示した補助再生器ＧＸ伝熱部をバイパスする経路の弁Ｖ２でも実施することができる。
図５（ａ）は、弁Ｖ１を全閉とし、補助再生器ＧＸの能力を無くした場合で、三重効用サイクルとなる。弁Ｖ１を開方向にし、補助再生器ＧＸの能力を強化すると共に、低温再生器ＧＬへの希溶液濃度が低下し、図５（ｂ）〜図５（ｃ）のように変化し、これに従い、高温再生器ＧＨ出口溶液温度が低下する。
図５（ｃ）〜５（ｄ）付近で、図２相当から図１相当の溶液分配にしていき、冷却水温度が３１〜３２℃でも、高温再生器ＧＨを高圧にせずに運転のできる図５（ｆ）のようなサイクルにする。
図７は、図１相当のサイクル（サイクルが２群に分かれるのでセパレートと表示）と、図２相当のサイクル（吸収器、補助吸収器、低温再生器、補助再生器を直列に溶液循環しているので、シリーズと表示）を、冷却水温度約３１℃一定で、補助再生器加熱能力を変えて、補助再生器圧力（冷媒蒸気飽和温度）を変えた場合の高温再生器温度と吸収冷凍機の効率（ＣＯＰ）を示したものであり、全領域で、ＣＯＰは二重効用の場合のＣＯＰ＝１．２程度より良好である。
蒸気弁Ｖ１の調節で、補助再生器加熱能力を大きくすると、補助再生器圧力（冷媒蒸気飽和温度）は高くなるが、高温再生器の溶液温度は低くなる。実線部分は、Ｖ３、Ｖ４の溶液分配制御により、ＣＯＰの高い制御をするように選択するとした場合の値である。
なお、実際の制御は、冷却水温度が低下して、高温再生器の溶液温度あるいは圧力が高くならない範囲で、ＣＯＰの高い運転を行う。図５は、冷却水温度に対応して選択したサイクルの例である。別の制御として、冷却水温度を基に、例えば、補助再生器冷媒飽和温度の目標値を設定して、制御弁Ｖ１で目標値になるように制御、また弁Ｖ３、Ｖ４の分配を補助再生器冷媒飽和温度で開度を調節などの方法も取れる。
図５（ｆ）のサイクルよりも、さらに高温再生器ＧＨの温度を下げたい場合、図３の弁Ｖ５で、高温再生器ＧＨの冷媒蒸気を中温再生器ＧＭをバイパスすることで、二重効用相当の運転が可能となり、高温再生器圧力、溶液温度が低下する。さらに、弁Ｖ１、Ｖ３、Ｖ４の調節により、単効用と二重効用の中間サイクルも可能となる。
なお、中温再生器ＧＭの冷媒蒸気を凝縮器Ｃに逃がす蒸気弁（図示せず）を用いても、同様の運転が可能である。
また、二段吸収型の三重効用吸収冷凍機にも、本発明は適用できる。冷水の出入口温度差を利用して、さらに高温再生器溶液温度を下げるために、前記吸収冷凍機の吸収器Ａを低圧吸収器ＡＬと高圧吸収器ＡＨに、蒸発器Ｅを低圧蒸発器ＥＬと高圧蒸発器ＥＨに区分し、冷水を先ず高圧蒸発器ＥＨに導き、冷却された冷水を次いで低圧蒸発器ＥＬに導くと共に、補助再生器ＧＸ、中温再生器ＧＭ及び高温再生器ＧＨからの濃溶液を先ず低圧吸収器ＡＬに導き、低圧蒸発器ＥＬからの冷媒蒸気を吸収させ、低圧吸収器ＡＬで冷媒蒸気を吸収した溶液を高圧吸収器ＡＨに導き、高圧蒸発器ＥＨからの冷媒蒸気を吸収させており、吸収器Ａを出る溶液濃度を低く抑えることができる。
高圧吸収器ＡＨで冷媒蒸気を吸収した溶液の一部を、補助吸収器ＡＸに送り、さらに低濃度として低温再生器ＧＬに送り、沸騰温度を下げ、最終的に高温再生器ＧＨの溶液温度、必要熱源温度を低下させることができる。
三重効用の溶液経路はこの他、種々のフローが存在するが、それらにも本発明を適用して差支えない。図８（ａ）（ｂ）に、これらの例を示すサイクルをデューリング線図上に示す。
本発明の中温再生器ＧＭ、低温再生器ＧＬあるいは、補助再生器ＧＸには、高温再生器ＧＨの冷媒蒸気による加熱の他に、高温再生器ＧＨに投入するよりも、温度の低い外部熱源を投入することも可能であり、排熱等を有効利用できる。高温再生器ＧＨの熱原に蒸気を用いた場合、蒸気ドレンの熱を排熱の一種として利用することもできる。
図９は、外部熱源を用いた本発明の他の実施の形態を示すフロー図である。
該実施の形態は、図１の吸収冷凍機において、中温再生器ＧＭ，低温再生器ＧＬ、補助再生器ＧＸに外部からの排熱を投入し、溶液を加熱する伝熱管ＨＰを設けたものであり、これによって、高温再生器ＧＨに投入する高温熱源（燃料などを燃焼して作る）を節約することができる。
すなわち、排熱で冷媒蒸気を発生させた際の冷媒蒸気量をＧとすると、同一の冷凍出力を出す場合、高温再生器ＧＨで発生させる冷媒蒸気量は約Ｇ／２．５減少させることができ、したがって、高温再生器ＧＨに投入する高温熱源を減らすことができる。排熱が投入できる位置は、排熱温度が溶液温度よりも高い位置であることが条件となるが、排熱は通常、高温再生器の熱源より低いので、中温再生器ＧＭ、低温再生器ＧＬ、補助再生器ＧＸのいずれかである。この際、低温再生器ＧＬと補助再生器ＧＸの双方を排熱だけで加熱すると、中温再生器ＧＭの冷媒蒸気が凝縮できなくなることもあり得るので、いずれか一方を排熱のみで加熱することが望ましい。
各再生器への冷媒蒸気による加熱と、外部からの排熱による加熱との組み合わせは、図９に示したものに限らず、例えば次のように種々可能である。
高温再生器ＧＨ、中温再生器ＧＭ、低温再生器ＧＬ、凝縮器Ｃ、吸収器Ａ、蒸発器Ｅ、補助再生器ＧＸ、補助吸収器ＡＸ及びそれらの機器を接続する経路を有する三重効用吸収冷凍機であって、吸収器Ａ、補助再生器ＧＸ、中温再生器ＧＭ、及び高温再生器ＧＨ間で溶液を循環する高濃度循環経路と、補助吸収器ＡＸと低温再生器ＧＬ間で溶液を循環する低濃度循環経路とを有し、補助再生器ＧＸで発生した冷媒蒸気を補助吸収器ＡＸに導く経路と、中温再生器ＧＭで発生する冷媒蒸気を低温再生器ＧＬ及び／又は補助再生器ＧＸの加熱側に導く経路と、高温再生器ＧＨで発生する冷媒蒸気を中温再生器ＧＭの加熱側に導く経路とを有する三重効用吸収冷凍機において、低温再生器ＧＬ及び／又は補助再生器ＧＸに、外部からの排熱を受け入れ、溶液を加熱する伝熱管ＨＰを設けることができる。
また、上記サイクルの三重効用吸収冷凍機において、中温再生器ＧＭに、外部からの排熱を受け入れ、溶液を加熱する伝熱管ＨＰを設けることができる。
また、上記サイクルの三重効用吸収冷凍機において、低温再生器ＧＬと補助再生器ＧＸに、外部からの排熱を受け入れ、溶液を加熱する伝熱管ＨＰを設ける場合に、排熱を顕熱変化する流体とし、この流体を低温再生器ＧＬに導いた後に、補助再生器ＧＸに導くことができる。
また、上記サイクルの三重効用吸収冷凍機において、中温再生器ＧＭに外部からの排熱を受け入れ、溶液を加熱する伝熱管ＨＰを設ける場合に、排熱を顕熱変化する流体とし、この流体を中温再生器ＧＭに導いた後に、低温再生器ＧＬ及び／又は補助再生器ＧＸに導くことができる。
また、高温再生器ＧＨ、中温再生器ＧＭ、低温再生器ＧＬ、凝縮器Ｃ、吸収器Ａ、蒸発器Ｅ、補助再生器ＧＸ、補助吸収器ＡＸ及びそれらの機器を接続する経路を有する三重効用吸収冷凍機であって、吸収器Ａ、補助再生器ＧＸ、中温再生器ＧＭ、及び高温再生器ＧＨ間で溶液を循環する高濃度循環経路と、補助吸収器ＡＸと低温再生器ＧＬ間で溶液を循環する低濃度循環経路とを有し、補助再生器ＧＸで発生した冷媒蒸気を補助吸収器ＡＸに導く経路と、中温再生器ＧＭで発生する冷媒蒸気を低温再生器ＧＬ及び補助再生器ＧＸの加熱側に導く経路と、高温再生器ＧＨで発生する冷媒蒸気を中温再生器ＧＭの加熱側に導く経路とを有する三重効用吸収冷凍機において、中温再生器ＧＭに、外部からの排熱を受け入れ、溶液を加熱する伝熱管ＨＰを設けることができる。
以上、外部からの排熱を投入する伝熱管ＨＰを、ＧＭ、ＧＬ、ＧＸなど同一缶胴内に設けるとして説明したが、ＧＭ、ＧＬ、ＧＸなどと並列あるいは直列の別缶胴にＨＰをもたせてもよい。
また、外部からの排熱で溶液を加熱する熱交換器を中温再生器ＧＭ、低温再生器ＧＬ、補助再生器ＧＸ以外の位置に設けることもできる。
また、上記サイクルの三重効用吸収冷凍機において、上記した補助再生器ＧＸ及び／又は補助吸収器ＡＸの機能を発揮及び停止する手段を設けることもできる。
また、少負荷の時、高温再生器ＧＨへの高温熱源を停止し、排熱だけで運転しても差し支えない。
なお、図１〜図３及び図９で、冷却水を、吸収器Ａ、凝縮器Ｃ、補助吸収器ＡＸの順に流しているが、凝縮器Ｃに最初に流してもよいし、全体に並列に流しても差支えない。
また、吸収器Ａと補助吸収器ＡＸに並列に流し、途中で一部を凝縮器Ｃに流し、再度元の途中位置から流すなど、溶液温度を低下させるため、冷却水の流す順番を変更しても差支えない。
また、補助再生器ＧＸは高濃度サイクル側に入っていれば良く、高温再生器ＧＨ、中温再生器ＧＭの前でも、後ろでも、並列でも良い。
図１０は、本発明を適用した三重効用吸収冷凍機のサイクルパターンの例を示す一覧表である。
本発明は、補助再生器ＧＸと補助吸収器ＧＡを追加して、三重効用サイクルの高温再生器ＧＨの高温化、高圧化を防止し、高温再生器の圧力あるいは溶液温度を低下させるもので、どのような三重効用と組み合わせても良く、三重効用に補助再生器及び補助吸収器を付加した全てのものを含む。図１０は１６の基本パターンＳ，Ｐ，Ｒ，ＳＰ，ＰＳ１，ＰＳ２，ＰＳ３，ＰＳ４，ＳＲ１，ＳＲ２，ＲＳ１，ＲＳ２，ＲＰ１，ＲＰ２，ＰＲ１，ＰＲ２とそれらの変形パターンを示している。
図１０に示された各サイクルパターンの読み方は次の通りである。
縦軸は露点（ＤｅｗＰｏｉｎｔ）すなわち、冷媒蒸気圧力に対する飽和温度、横軸は吸収溶液の濃度（Ｃｏｎｃｅｎｔｒａｔｉｏｎ）を表し、各サイクルは、溶液のサイクルを示している（濃度０％あるいは０％付近の冷媒系は表示していない）。縦実線では、溶液の温度が変化し、この溶液温度に平衡する露点を示している。縦線部で、濃溶液の保有熱を希溶液側に熱回収しているが、サイクル中にその明示はしていない。横実線は、濃縮、あるいは吸収による溶液の濃度変化を示す。破線は混合を示す。（破線に沿って濃度変化するのではなく、２液が混合して白小丸の濃度となる）黒小丸は、溶液の分岐位置を示す。なお、図中、ＧＨは高温再生器、ＧＭは中温再生器、ＧＬは低温再生器、ＧＸは補助再生器、ＡＸは補助吸収器、Ａは吸収器を示す。
以下、一覧表の中の実例で説明する。
Ｓサイクル
（１）  Ｓサイクル（上）：実線のみ
吸収器Ａを出た希溶液は高温再生器ＧＨに入り濃縮される。（横実線）
高温再生器ＧＨを出た溶液は中温再生器ＧＭに入り濃縮される。（横実線）
高温再生器ＧＨを出た溶液は中温再生器ＧＭに入り濃縮される。（横実線）
中温再生器ＧＭを出た溶液は補助再生器ＧＸに入り濃縮される。（横実線）
補助再生器ＧＸを出た濃溶液は吸収器Ａに入り、冷媒を吸収して濃度低下する。（横実線）
（２）  Ｓサイクル（中上）：ＧＭ部に破線
吸収器Ａを出た希溶液の大部分は高温再生器ＧＨに入り濃縮される。（横実線）
吸収器Ａを出た希溶液の一部は黒小丸部で分岐し、中温再生器ＧＭに送られ（横実線）。
高温再生器ＧＨで濃縮された溶液と混合する。破線右端の白小丸が混合濃度。
混合溶液が中温再生器ＧＭで濃縮される。（横実線）
中温再生器ＧＭを出た溶液は補助再生器ＧＸに入り濃縮される。（横実線）
補助再生器ＧＸを出た濃溶液は吸収器Ａに入り、冷媒を吸収して濃度低下する。（横実線）
（３）Ｓサイクル（中下）：ＧＬ部に破線
吸収器Ａを出た希溶液の大部分は高温再生器ＧＨに入り濃縮される。（横実線）
高温再生器ＧＨを出た溶液は中温再生器ＧＭに入り濃縮される。（横実線）
吸収器Ａを出た希溶液の一部は黒小丸部で分岐し、補助再生器ＧＸに送られ（横実線）中温再生器ＧＭで濃縮された溶液と混合する。破線右端の白小丸が混合濃度。
混合溶液が補助再生器ＧＸで濃縮される。（横実線）
補助再生器ＧＸを出た濃溶液は吸収器Ａに入り、冷媒を吸収して濃度低下する。（横集線）
（４）Ｓサイクル（下）：ＧＭ、ＧＬ部に破線
吸収器Ａを出た希溶液の大部分は高温再生器ＧＨに入り濃縮される。（横実線）
吸収器Ａを出た希溶液の一部は黒小丸部で分岐し、中温再生器ＧＭに送られ（検案線）、高温再生器ＧＨで濃縮された溶液と混合する。破線右端の白小丸が混合濃度。
混合溶液が中温再生器ＧＭで濃縮される。（横実線）
吸収器Ａを出た希溶液の一部は黒小丸部で分岐し、補助再生器ＧＸに送られ（横実線）中温再生器ＧＭで濃縮された溶液と混合する。破線右端の白小丸が混合濃度。
混合溶液が補助再生器ＧＸで濃縮される。（横実線）
補助再生器ＧＸを出た濃溶液は吸収器Ａに入り、冷媒を吸収して濃度低下する。（横実線）
Ｐサイクル
（１）Ｐサイクル（上）：
吸収器Ａを出た希溶液の一部は黒小丸部で分岐して、低温再生器ＧＬに送られさらに残部の一部が上側の黒小丸部で分岐して中温再生器ＧＭに送られ、残りが高温再生器ＧＨに送られる。
高温再生器ＧＨに入った溶液は濃縮される。（横実線）
高温再生器ＧＨを出た溶液は、中温再生器ＧＭに送られる希溶液と混合、白小丸の混合濃度となって中温再生器ＧＭに入り、濃縮される。（横実線）
中温再生器ＧＭを出た溶液は、補助再生器ＧＸに送られる希溶液と混合、白小丸の混合濃度となって補助再生器ＧＸに入り、濃縮される。（横実線）
補助再生器ＧＸを出た濃溶液は吸収器Ａに入り、冷媒を吸収して濃度低下する。（横実線）
（２）Ｐサイクル（中上）：
吸収器Ａを出た希溶液の一部は吸収器出口の黒小丸部で分岐して、低温再生器ＧＬに送られ、さらに残部の一部が上側の黒小丸部で分岐して中温再生器ＧＭに送られ、残りが高温再生器ＧＨに送られる。
高温再生器ＧＨに入った溶液は濃縮される。（横実線）
高温再生器ＧＨを出た溶液は、中温再生器ＧＭに送られる希溶液と混合、白小丸の混合濃度となって中温再生器ＧＭに入り、濃縮される。（横実線）
補助再生器ＧＸに送られた希溶液は、単独で濃縮される。（横実線）
中温再生器ＧＭと補助再生器ＧＸを出た濃溶液は吸収器Ａに入り、冷媒を吸収して濃度低下する。（横実線）
（吸収器入口で混合するとすれば、一部が破線となる。別々に入れれば実線となる。どちらでもか差し支えない。    以下同様）
（３）Ｐサイクル（中下）：
吸収器Ａを出た希溶液の一部は吸収器出口の黒小丸部で分岐して、中温再生器ＧＭに送られ、さらに残部の一部が上側の黒小丸部で分岐して低温再生器ＧＬに送られ残りが高温再生器ＧＨに送られる。
高温再生器ＧＨに入った溶液は濃縮される。（横実線）
高温再生器ＧＨを出た溶液は、補助再生器ＧＸに送られる希溶液と混合、白小丸の混合濃度となって補助再生器ＧＸに入り、濃縮される。（横実線）
中温再生器ＧＭに送られた希溶液は、単独で濃縮される。（横実線）
中温再生器ＧＭと補助再生器ＧＸを出た濃溶液は吸収器Ａに入り、冷媒を吸収して濃度低下する。（横実線）
（４）Ｐサイクル（下）：
吸収器Ａを出た希溶液は吸収器出口の黒小丸部で分岐して、一部が低温再生器ＧＬに、別の一部が中温再生器ＧＭに送られ、残部が高温再生器ＧＨに送られる。
高温再生器ＧＨに入った溶液は濃縮される。（横実線）
中温再生器ＧＭに送られた希溶液は、単独で濃縮される。（横実線）
補助再生器ＧＸに送られた希溶液は、単独で濃縮される。（横実線）
高温再生器ＧＨ、中温再生器ＧＭ、補助再生器ＧＸを出た濃溶液は吸収器Ａに入り、冷媒を吸収して濃度低下する。（横実線）
Ｒサイクル
（１）Ｒサイクル（上）：
吸収器Ａを出た希溶液は、低温再生器ＧＬに送られ、濃縮される。（横実線）
補助再生器ＧＸを出た溶液は、中温再生器ＧＭに送られ、さらに濃縮される。（横実線）
中温再生器ＧＭを出た溶液は、高温再生器ＧＨに送られ、さらに濃縮される。（横実線）
高温再生器ＧＨを出た濃溶液は吸収器Ａに入り、冷媒を吸収して濃度低下する。（横実線）
（２）Ｒサイクル（中上）：
吸収器Ａを出た希溶液は、低温再生器ＧＬに送られ、濃縮される。（横実線）
補助再生器ＧＸを出た溶液は、中温再生器ＧＭに送られ、きらに濃縮される。（横実線）
中温再生器ＧＭを出た溶液の大部分は、高温再生器ＧＨに送られ、きらに濃縮される。（横実線）
中温再生器ＧＭを出た溶液の残部は、高温再生器ＧＨで濃縮された溶液と混合する。
混合した溶液は吸収器Ａに入り、冷媒を吸収して濃度低下する。（横実線）
（３）Ｒサイクル（中下）：
吸収器Ａを出た希溶液は、低温再生器ＧＬに送られ、濃縮される。（横実線）
補助再生器ＧＸを出た溶液の大部分は、中温再生器ＧＭに送られ、きらに濃縮される。（横実線）
中温再生器ＧＭを出た溶液は、高温再生器ＧＨに送られ、さらに濃縮される。（横実線）
補助再生器ＧＸを出た溶液の一部は、高温再生器ＧＨからの溶液と混合する。
混合した溶液は吸収器Ａに入り、冷媒を吸収して濃度低下する。（横実線）
（４）Ｒサイクル（下）：
吸収器Ａを出た希溶液は、低温再生器ＧＬに送られ、濃縮される。（横実線）
補助再生器ＧＸを出た溶液の大部分は、中温再生器ＧＭに送られ、きらに濃縮される。（横実線）
中温再生器ＧＭを出た溶液の大部分は、高温再生器ＧＨに送られ、さらに濃縮される。（横実線）
中温再生器ＧＭを出た溶液の残部は、高温再生器ＧＨで濃縮された溶液と混合し、さらに、補助再生器ＧＸを出た溶液の残部と混合する。
混合した溶液は吸収器Ａに入り、冷媒を吸収して濃度低下する。（横実線）
他のサイクルも、同様に、溶液の分岐、濃縮、混合の組合せである。一覧表で示したのは、このように多種類が考えられることを示している。
なお、本図では、混合溶液の導入は、すべて高温再生器ＧＨ、中温再生器ＧＭ、低温再生器ＧＬの入口部からにしているが、一方の溶液を入口部からにし、混合するもう一方の溶液を途中から導入しても差し支えない。
産業上の利用分野
以上のように、本発明では、前記した吸収冷凍機としたことにより、二重効用と三重効用の中間的なサイクルを可能とし、高温再生器の圧力あるいは溶液温度を所定値以下とすることができ、さらに、熱源温度、冷却水温度条件、あるいは冷水温度条件などによっては、中間的なサイクルから、三重効用サイクルまで、段階的でなく、連続的に変化することができる三重効用吸収冷凍機とすることができた。
【図１】
2004029524.tif 000003
【図２】
2004029524.tif 000004
【図３】
2004029524.tif 000005
2004029524.tif 000006
2004029524.tif 000007
2004029524.tif 000008
【図７】
2004029524.tif 000009
2004029524.tif 000010
【図９】
2004029524.tif 000011
【図１０】
2004029524.tif 000012
2004029524.tif 000013
【手続補正書】
【提出日】平成15年4月4日(2003.4.4)
【手続補正００１】
【補正対象書類名】特許請求の範囲
【補正対象項目名】請求項５
【補正方法】変更
【補正の内容】
【請求項５】（補正後）高温再生器、中温再生器、低温再生器、凝縮器、吸収器、蒸発器、補助再生器、補助吸収器及びそれらの機器を接続する経路を有する三重効用吸収冷凍機において、（ａ）前記吸収器、前記補助再生器、前記中温再生器、及び前記高温再生器間で溶液を循環する高濃度循環経路と、前記補助吸収器と低温再生器間で溶液を循環する低濃度循環経路とを有し、前記補助再生器で発生した冷媒蒸気を前記補助吸収器に導く経路と、前記中温再生器で発生する冷媒蒸気を前記低温再生器及び補助再生器の加熱側に導く経路と、前記高温再生器で発生する冷媒蒸気を前記中温再生器の加熱側に導く経路とを形成するサイクルと、（ｂ）前記吸収器からの希溶液の一部を前記補助吸収器に導くと共に、前記補助吸収器の希溶液を前記低温再生器に導く経路と、前記低温再生器の溶液を前記補助再生器経由で前記吸収器に戻す経路と、前記補助再生器で発生した冷媒蒸気を前記補助吸収器に導く経路とを有し、前記中温再生器で発生する冷媒蒸気を、前記低温再生器及び補助再生器の加熱側に導く経路と、前記高温再生器で発生する冷媒蒸気を、前記中温再生器の加熱側に導く経路とを形成するサイクルと、（Ｃ）前記いずれかのサイクルにおいて、補助再生器及び／または前記補助吸収器の機能を停止させるサイクルとを設け、前記（ａ），（ｂ），（ｃ）のサイクルとの間を切り替える手段を設けたことを特徴とする三重効用吸収冷凍機。




【国際調査報告】
2004029524.tif 000014
2004029524.tif 000015